(57)【要約】消費者によって提供される質問に対する一連の回答により選択された剤形をそれぞれが含む一連の１日分のパックを含む、１日分の栄養補助食品成分の摂取計画を提供するためのコンピュータ実装の方法、装置、システム、およびパッケージング。
2012533799.tif 000002
【特許請求の範囲】
【請求項１】
１日分の栄養補助食品成分の摂取計画を提供するためのコンピュータ実装方法であって、
第１のコンピュータにおいて複数の質問を作成するステップであって、前記各質問はユーザの健康状態に関し、前記各質問は少なくとも２つの可能性のある回答を有し、前記各回答は前記ユーザの健康状態の質的または量的特徴を表し、前記各健康状態は少なくとも１つの所定の推奨の栄養補助食品成分を含むセットにリンクされているステップと、
第２のコンピュータ上で前記ユーザに前記複数の質問を提示するステップと、
前記第１のコンピュータにおいて前記複数の質問に対する前記ユーザの応答を受信するステップであって、前記第１のコンピュータは前記各質問に対する応答を１つのみ受け入れるステップと、
前記第１のコンピュータにおいて所定の推奨の栄養補助食品成分の独自のグループを識別するステップであって、前記各推奨の栄養補助食品成分は前記ユーザの健康状態に関連付けられているステップと、
前記第１のコンピュータにおいて前記複数の推奨の栄養補助食品成分に基づいて少なくとも１つの推奨の栄養補助食品の剤形を識別するステップと、
前記第２のコンピュータに対して、前記ユーザに前記少なくとも１つの推奨の栄養補助食品の剤形のリストを提供するステップと
を含むことを特徴とする方法。
【請求項２】
前記ユーザに対してアレルゲンである任意の前記推奨の栄養補助食品成分を識別するステップと、
前記推奨の栄養補助食品成分に対する前記ユーザの推奨される１日分の許容量を超える、任意の量の前記推奨の栄養補助食品成分を識別するステップと、
前記ユーザの食事制限を侵す任意の前記推奨の栄養補助食品成分を識別するステップと、
前記識別した任意の推奨の栄養補助食品成分または前記識別した任意の量の推奨の栄養補助食品成分を、前記栄養補助食品成分の独自のグループから取り除くステップ、および栄養補助食品成分の修正したグループをまとめるステップと、
前記栄養補助食品成分の修正したグループを含む１つまたは複数の剤形を選択するステップと、
前記栄養補助食品成分の修正したグループおよび／または剤形のリストを、前記コンピュータから出力するステップと
を含むことを特徴とする請求項１に記載のコンピュータ実装方法。
【請求項３】
前記健康状態には、
身体的状態、
運動の状態、および
生活習慣の状態
のうちの少なくとも１つを含むことを特徴とする請求項１に記載の方法。
【請求項４】
少なくとも１つの前記推奨の栄養補助食品成分を識別するステップは、
前記ユーザの性別に基づいてマルチビタミンを識別することと、
前記ユーザの年齢に基づいてマルチビタミンを識別することと、および／または
少なくとも１つの特定の栄養補助食品成分を識別することと
をさらに含むことを特徴とする請求項１に記載の方法。
【請求項５】
前記栄養補助食品成分には、
個々のビタミン補助食品成分、
ミネラル補助食品成分、
薬草補助食品成分、
コエンザイム（ＣｏＱ１０）補助食品成分、
フィッシュオイル補助食品成分、および
フィステロール補助食品成分
のうちの少なくとも１つを含むことを特徴とする請求項１に記載の方法。
【請求項６】
前記少なくとも１つの健康状態は、
前記ユーザの年齢、
前記ユーザの性別、
前記ユーザのアレルギー、
前記ユーザの食習慣、
前記ユーザのアルコール摂取量、
前記ユーザの糖分摂取量、
前記ユーザのソフトドリンク摂取量、
前記ユーザのカフェイン摂取量、
前記ユーザの食事制限、
前記ユーザの家族歴、
前記ユーザの病歴、
前記ユーザが服用している医薬、
前記ユーザのカルシウム摂取量、
前記ユーザのビタミンＤ摂取量、
前記ユーザの妊娠状態、
前記ユーザの授乳状態、
前記ユーザの月経前症状、
前記ユーザの閉経前症状、
前記ユーザの更年期症状、
前記ユーザの乳癌に関する懸念、
前記ユーザの泌尿器の健康に関する懸念、および
前記ユーザの前立腺の健康に関する懸念
のうちの少なくとも１つに関連すること特徴とする請求項１に記載の方法。
【請求項７】
前記少なくとも１つの健康状態は、
運動、
心臓血管または筋力のトレーニング、
大気汚染への暴露、
受動喫煙への暴露、
日光、
喫煙、または
ストレス
のうちの少なくとも１つに関連することを特徴とする請求項１に記載の方法。
【請求項８】
前記少なくとも１つの健康状態は、
ユーザの健康全体、
目の健康、
呼吸器の健康、
気分／精神的健康状態、
記憶力／記憶保持力、および
関節の健康
のうちの少なくとも１つに関連することを特徴とする請求項１に記載の方法。
【請求項９】
前記第１のコンピュータにおいて、
定期的な間隔で、
知識基盤が更新される度に、および
補助食品成分が追加／削除される度に
のうちの少なくとも１つに基づいて、前記栄養補助食品成分と前記健康状態との間の関連を更新するステップを含むことを特徴とする請求項１に記載の方法。
【請求項１０】
以前の質問に対する前記ユーザの応答に基づいて、質問表でさらなる質問を行うこと、または行わないことを特徴とする請求項１に記載の方法。
【請求項１１】
少なくとも１つの前記推奨の栄養補助食品成分を識別するステップは、
前記ユーザのアレルギーに対して修正することと、
前記ユーザの１日当たりの最大許容摂取量を超えることに対して修正することと、
前記ユーザの食に関する好みに対して修正することと、
前記栄養補助食品成分を含む栄養補助食品の組合せ剤形を識別することと
を含むことを特徴とする請求項１に記載の方法。
【請求項１２】
前記第１のコンピュータにおいて、栄養補助食品成分の知識基盤を構築するステップと、
前記第１のコンピュータにおいて、前記知識基盤に基づいて少なくとも１つの栄養補助食品成分を識別するステップと
を含むことを特徴とする請求項１に記載の方法。
【請求項１３】
前記少なくとも１つの推奨の栄養補助食品の剤形は、マルチビタミンであり、前記少なくとも１つの推奨の栄養補助食品の剤形は、第１の栄養補助食品成分および第２の栄養補助食品成分を組み合わせるものであることを特徴とする請求項１に記載の方法。
【請求項１４】
前記複数の推奨の栄養補助食品の剤形を選択するステップは、１０個以下の栄養補助食品の剤形を選択するステップを含むことを特徴とする請求項１に記載の方法。
【請求項１５】
前記少なくとも１つの剤形を分配するための分配装置を自動的に管理するステップを含むことを特徴とする請求項１に記載の方法。
【請求項１６】
前記分配装置は、
複数の容器であって、前記各容器が単一のタイプの複数の栄養補助食品の剤形を含む容器と、
前記容器のそれぞれに連結したディスペンサであって、前記各ディスペンサが命令に基づき栄養補助食品を共通のパッケージに分配するよう適合したディスペンサと、
前記各ディスペンサに連結し、前記１つまたは複数のディスペンサに栄養補助食品を前記共通のパッケージに分配するように命令するよう適合した制御器と、
栄養補助食品の剤形の包装モジュールに含まれる複数の利用可能な栄養補助食品の剤形から選択した少なくとも１つの推奨の栄養補助食品の剤形を、複数の１日分の栄養補助食品の剤形のパッケージに包装するよう適合した栄養補助食品の剤形の包装モジュールと
を備え、
前記制御器が、請求項１において前記コンピュータから出力された前記剤形のリストを受信し、それに応じて前記ディスペンサを制御することを特徴とする請求項１に記載の方法。
【請求項１７】
栄養補助食品成分の剤形のキットであって、
個々の人に個人化した複数の１日分の栄養パックであって、前記１日分の栄養パックのそれぞれは少なくとも１つの栄養補助食品の剤形を含み、各栄養補助食品の剤形は推奨の栄養補助食品の剤形の摂取計画をカスタマイズするコンピュータ実装方法により選択され、前記方法は請求項１６までの前記ステップを含む栄養パックを含み、
前記キットの前記少なくとも１つの栄養補助食品の剤形のそれぞれは、健康状態に関する質問に対する前記人の応答にリンクされていることを特徴とする栄養補助食品成分の剤形のキット。
【請求項１８】
データを受信するよう動作可能な１つまたは複数のコンピュータ入力装置と、
質問−回答−栄養補助食品マップを保持するよう動作可能な記憶装置と、
前記入力装置で与えられた健康状態の質問に対する回答に応じて栄養補助食品の摂取計画を生成するよう構成されたプロセッサであって、前記摂取計画は複数の栄養補助食品成分を含み、各成分はある特定の健康状態に関連付けられているプロセッサと、
前記摂取計画を配信するよう構成された出力装置と
を備えることを特徴とする装置。
【請求項１９】
前記摂取計画の前記栄養補助食品を分配するよう構成された分配装置を備えることを特徴とする請求項１８に記載の装置。
【請求項２０】
複数の容器であって、前記各容器が単一のタイプの複数の栄養補助食品の剤形を含むよう適合した容器と、
前記容器のそれぞれに連結したディスペンサであって、前記各ディスペンサが命令に基づき栄養補助食品を共通のパッケージに分配するよう適合したディスペンサと、
前記各ディスペンサに連結し、前記１つまたは複数のディスペンサに栄養補助食品を前記共通のパッケージに分配するように命令するよう適合した制御器と、
栄養補助食品の剤形の包装モジュールに含まれる複数の利用可能な栄養補助食品の剤形から選択した少なくとも１つの推奨の栄養補助食品の剤形を、複数の１日分の栄養補助食品の剤形のパッケージに包装するよう適合した栄養補助食品の剤形の包装モジュールと
を備え、
前記制御器が、請求項１において前記コンピュータから出力された前記剤形のリストを受信し、それに応じて前記ディスペンサを制御することを特徴とする請求項１９に記載の装置。
【請求項２１】
コンピュータに栄養補助食品の摂取計画を生成する方法を実行させるためのプログラムを記憶したコンピュータ可読記憶媒体を備え、前記方法は、
第１のコンピュータにおいて複数の質問を作成するステップであって、前記各質問はユーザの健康状態に関し、前記各質問は少なくとも２つの可能性のある回答を有し、前記各回答は前記ユーザの健康状態の質的または量的特徴を表し、前記各健康状態は少なくとも１つの所定の推奨の栄養補助食品成分を含むセットにリンクされているステップと、
第２のコンピュータ上で前記入力装置を介して前記ユーザに前記複数の質問を提示するステップと、
前記第１のコンピュータにおいて前記複数の質問に対する前記ユーザの応答を受信するステップであって、前記第１のコンピュータは前記各質問に対する応答を１つのみ受け入れるステップと、
前記第１のコンピュータにおいて所定の推奨の栄養補助食品成分の独自のグループを識別するステップであって、前記各推奨の栄養補助食品成分は前記ユーザの健康状態に関連付けられているステップと、
前記第１のコンピュータにおいて前記複数の推奨の栄養補助食品成分に基づいて少なくとも１つの推奨の栄養補助食品の剤形を識別するステップと
を含むことを特徴とする請求項１８に記載の装置。
【請求項２２】
コンピュータに栄養補助食品の摂取計画を生成する方法を実行させるためのプログラムを記憶したコンピュータ可読記憶媒体であって、前記方法は、
第１のコンピュータにおいて複数の質問を作成するステップであって、前記各質問はユーザの健康状態に関し、前記各質問は少なくとも２つの可能性のある回答を有し、前記各回答は前記ユーザの健康状態の質的または量的特徴を表し、前記各健康状態は少なくとも１つの所定の推奨の栄養補助食品成分を含むセットにリンクされているステップと、
第２のコンピュータ上で入力装置を介して前記ユーザに前記複数の質問を提示するステップと、
前記第１のコンピュータにおいて前記複数の質問に対する前記ユーザの応答を受信するステップであって、前記第１のコンピュータは前記各質問に対する応答を１つのみ受け入れるステップと、
前記第１のコンピュータにおいて所定の推奨の栄養補助食品成分の独自のグループを識別するステップであって、前記各推奨の栄養補助食品成分は前記ユーザの健康状態に関連付けられているステップと、
前記第１のコンピュータにおいて前記複数の推奨の栄養補助食品成分に基づいて少なくとも１つの推奨の栄養補助食品の剤形を識別するステップと
を含むことを特徴とするコンピュータ可読記憶媒体。
【発明の詳細な説明】
【技術分野】
【０００１】
本発明は、個人用の１日分の栄養補助食品のパッケージを提供するシステムおよび方法に関する。
【背景技術】
【０００２】
本特許出願は、参照により組み込まれる2009年7月15日出願の米国仮出願第61/225,826号に対して、現地法で許可される範囲で優先権を主張するものである。
【０００３】
本発明の分野は、栄養素に対する推奨される上限を超えることなく消費者独自の栄養必要量に合致するよう、ビタミン、ミネラル、および薬草を含む栄養補助食品を使用して、動的なオンライン環境において栄養必要量をカスタマイズする方法に関する。
【０００４】
ビタミンを推奨する様々なシステムが、これまでに説明されている。例えば、米国特許第5,954,640号、米国特許第6,510,430号、および米国特許第7,136,820号、ならびに米国特許出願公開第2005/0240085号に、例示的なシステムが開示されている。さらに、他のシステムが市販されている。これらのシステムのそれぞれに短所がある。これらのシステムは、無関係の質問を多くしすぎる、栄養素を多く推奨しすぎる、個人のあらゆる健康要因を考慮していない、栄養補助食品に関する科学の現状を考慮していない、過度に複雑である、または、非効率的である場合がある。これらのシステムは、消費者を困惑させ、消費者に、栄養学者の専門知識の助けを借りずにどの補助食品を摂取するかについて判断させている場合がある。または、これらのシステムは、ＤＮＡ検査のような立証されていない科学に依存する場合がある。また、これらのシステムは、個人にカスタマイズされていない場合がある。
【発明の概要】
【０００５】
本発明の態様は、方法、機械、および製品を含む。本発明は、特別に考案した使用しやすい消費者調査／質問表、および栄養健康科学に基づく科学的に開発された栄養に関するアルゴリズムを用いて、個人用の１日分のビタミンの推奨内容、および推奨の補助食品を含む１日分のビタミンのパックを、効率的に提供する。
【０００６】
本発明の１つの目的は、個人の独自の必要量にカスタマイズされたビタミンプログラムを提供することである。カスタマイズされたビタミンの推奨内容は、主流の栄養科学に基づくことができ、かつ、個人の食生活、性別、年齢、運動、生活習慣、使用している医薬、アレルギー、および周囲環境要因を考慮に入れることができる。推奨内容には、１日分のビタミン摂取量を考慮に入れることもできる。次いで、個人用のビタミンを分類し、１日分の使用量を個々の再封止可能なパウチに詰める。
【０００７】
栄養素が有益であるには、人は正しい栄養素を適切な量摂取する必要がある。ある栄養素補給が少なすぎる人は、その栄養素の恩恵を受けないであろう。人はまた、ある栄養素を摂取しすぎること、および必要でない栄養素を摂取することを避けたいと思う。本発明のシステムはその要求に合致し、有益な量を提供する。本発明のシステムは、消費者の当て推量を低減させ、人にその人独自の栄養素選択を提供する。
【０００８】
本発明の一例示的実施形態において、１日分の栄養補助食品成分の摂取計画を提供するコンピュータ実装方法は、第１のコンピュータにおいて複数の質問を作成するステップであって、各質問は、ユーザの健康状態に関し、少なくとも２つの可能性のある回答を有し、各回答はユーザの健康状態の質的または量的特徴を表し、各健康状態は少なくとも１つの所定の推奨の栄養補助食品成分を含むセットにリンクされているステップ、第２のコンピュータ上でユーザに複数の質問を提示するステップ、第１のコンピュータにおいて複数の質問に対するユーザの応答を受信するステップであって、第１のコンピュータは各質問に対する応答を１つのみ受け入れるステップ、第１のコンピュータにおいて所定の推奨の栄養補助食品成分の独自のグループを識別するステップであって、各推奨の栄養補助食品成分はユーザの健康状態に関連付けられているステップ、第１のコンピュータにおいて複数の推奨の栄養補助食品成分に基づいて少なくとも１つの推奨の栄養補助食品の剤形を識別するステップ、および、第２のコンピュータに対して、ユーザに少なくとも１つの推奨の栄養補助食品の剤形のリストを提供するステップを含む。
【０００９】
本発明の別の例示的実施形態において、装置は、データを受信するよう動作可能な１つまたは複数のコンピュータ入力装置、質問−回答−栄養補助食品のマップを保持するよう動作可能な記憶装置、入力装置で与えられた健康状態の質問に対する回答に応じて栄養補助食品の摂取計画を生成するよう構成されたプロセッサであって、摂取計画は複数の栄養補助食品成分を含み、各成分はある特定の健康状態に関連付けられているプロセッサ、および摂取計画を配信するよう構成された出力装置を備える。
【００１０】
本発明の別の例示的実施形態において、固定式のコンピュータ可読記憶媒体が実行可能プログラムを記憶し、そのプログラムがマイクロプロセッサに、栄養補助食品の摂取計画を生成する以下のステップを実施するよう命令する。以下のステップとは、第１のコンピュータにおいて複数の質問を作成するステップであって、各質問は、ユーザの健康状態に関し、少なくとも２つの可能性のある回答を有し、各回答はユーザの健康状態の質的または量的特徴を表し、各健康状態は少なくとも１つの所定の推奨の栄養補助食品成分を含むセットにリンクされているステップ、第２のコンピュータ上で入力装置を介してユーザに複数の質問を提示するステップ、第１のコンピュータにおいて複数の質問に対するユーザの応答を受信するステップであって、第１のコンピュータは各質問に対する応答を１つのみ受け入れるステップ、第１のコンピュータにおいて所定の推奨の栄養補助食品成分の独自のグループを識別するステップであって、各推奨の栄養補助食品成分はユーザの健康状態に関連付けられているステップ、および、第１のコンピュータにおいて複数の推奨の栄養補助食品成分に基づいて少なくとも１つの推奨の栄養補助食品の剤形を識別するステップである。
【００１１】
本発明の実施形態において、最新の栄養科学に沿った調査質問、回答、および栄養補助食品成分の推奨を含むよう、アルゴリズムを定期的に更新する。
【００１２】
調査質問および回答を、推奨するための根本で誤りをおかさないよう理解しやすい形式で考案することができる。
【００１３】
包装機械および全体のフルフィルメントシステムが、品質に関してＧＭＰ（Good Manufacturing Practices）を使用して動作し、調査の応答に基づく正確なビタミンの推奨内容を、確実に消費者が受け取れるようにすることができる。
【００１４】
本発明のシステムは、消費者が、確実に推奨の含意を全て理解し、例えば、食生活、生活習慣、医薬などに変更がある場合、必要に応じて自らの応答を更新すべきであることを、確実にわかるようにすることができる。システムにより、必要に応じて専門家とチャットすることが可能となる。
【００１５】
本発明の構造、構成、プロセス、および／または動作の重要な特徴のいくつかは、以下の通りである。
●本発明のコンピュータによる包装およびフルフィルメントのシステムならびにサブシステムにより、広範な科学的調査ならびに栄養に関する専門知識および論理に基づくアルゴリズムの効果的な使用が可能となる。
●本発明のシステムは、専門の栄養学者が有する科学的知識を、自動のカスタマイズされた推奨内容およびパッケージに転換するのに効果的である。
●本発明は、ウェブサイトユーザインタフェースを使用するインターネットの有効性を利用して、消費者が、（ａ）健康調査を受ける、（ｂ）コンピュータ化された自動の栄養に関するアルゴリズムのプロセッサおよび関連機器の動作に基づいてカスタマイズされた推奨内容を入手する、（ｃ）個人用の栄養補助食品のパックの供給を購入する、（ｄ）安全に、正確に、かつ経済的に用意され発送された荷物を受け取ることができるユーザフレンドリな環境を提供する。
●様々なビタミンおよび栄養補助食品成分を組み合わせた特定の剤形を考案し、消費者が１日に摂取する必要がある錠剤の数を最小限にし、特定サイズの範囲内の錠剤（例えば、大きすぎでも小さすぎでもない錠剤）の需要に合致するように、なされた推奨の範囲に効率的に適合させることができる。
●最終製品の独自の包装は、１家庭内の複数の消費者間で混同が起こる可能性を低減させるために顧客が選択した個人用の外箱、１日にわたって消費者が錠剤を取り出せるようそれぞれが再封止可能である１日分のパックの長期（例えば、２８日）の供給分を含む取外し可能な引き出し箱、および、補給品用に代替の引き出し箱を送る機能を含む。あるいは、１日分のパックの補給品を、引き出し箱に入れずにユーザに発送することができる。それを受け取ると、ユーザは以前に購入した引き出し箱にその１日分のパックを入れることができる。
【００１６】
他の実施形態において、システムは以下の特徴を含む。以下の特徴とは、
●消費者のフィードバック（ブログ、評価、レビュー、コメント、画像）
●携帯電話（例えば、ｉＰｈｏｎｅ）のアプリケーション（健康調査、推奨内容、健康追跡調査）
●毎日のリマインダおよびウィジェットの更新（ビタミン摂取のリマインダ、健康アドバイス）
●荷物はいつ発送されるか、またはいつ発送されたかを判断する機能
●１回に４週間の供給分を２つ以上予約注文する機能
●十分カスタマイズ可能な包装（消費者自身の包装を考案）
である。
【００１７】
本発明のさらなる特徴、ならびに様々な実施形態の構造および動作を、添付図面を参照して以下に詳細に説明する。
【図面の簡単な説明】
【００１８】
本発明の前述および他の特徴ならびに利点は、添付図面に示すように、以下に続く様々の例示的実施形態のより具体的な説明から明らかとなろう。一般的に、同じ参照番号は、同一、機能的に同様、および／または構造的に同様の要素を示す。参照番号の一桁目は、要素が最初に出てくる図面を示す。
【００１９】
【図１】個人用の１日分の栄養補助食品のパッケージを提供する例示的方法とともに使用する例示的システム１００を示す図である。
【図２】例示的アルゴリズムの例示的マップ２００を示す図である。
【図３】例示的アルゴリズムの例示的マップ３００を示す図である。
【図４】例示的アルゴリズムの例示的マップ４００を示す図である。
【図５】個人用の１日分の栄養補助食品のパッケージを提供する例示的方法の例示的フローチャートである。
【図６】個人用の１日分の栄養補助食品のパッケージをまとめる例示的システム６００を示す図である。
【図７】例示的コンピュータシステムを示す図である。
【図８Ａ】様々な例示的ウェブサイトのレイアウトを示す図である。
【図８Ｂ】様々な例示的ウェブサイトのレイアウトを示す図である。
【図８Ｃ】様々な例示的ウェブサイトのレイアウトを示す図である。
【図８Ｄ】様々な例示的ウェブサイトのレイアウトを示す図である。
【図８Ｅ】様々な例示的ウェブサイトのレイアウトを示す図である。
【図８Ｆ】様々な例示的ウェブサイトのレイアウトを示す図である。
【図８Ｇ】様々な例示的ウェブサイトのレイアウトを示す図である。
【図８Ｈ】様々な例示的ウェブサイトのレイアウトを示す図である。
【図９Ａ】例示的質問表を示す図である。
【図９Ｂ】例示的質問表を示す図である。
【図９Ｃ】例示的質問表を示す図である。
【図９Ｄ】例示的質問表を示す図である。
【図９Ｅ】例示的質問表を示す図である。
【図９Ｆ】例示的質問表を示す図である。
【図９Ｇ】例示的質問表を示す図である。
【図９Ｈ】例示的質問表を示す図である。
【図９Ｉ】例示的質問表を示す図である。
【図９Ｊ】例示的質問表を示す図である。
【図９Ｋ】例示的質問表を示す図である。
【図９Ｌ】例示的質問表を示す図である。
【図９Ｍ】例示的質問表を示す図である。
【図９Ｎ】例示的質問表を示す図である。
【図９Ｏ】例示的質問表を示す図である。
【図９Ｐ】例示的質問表を示す図である。
【図９Ｑ】例示的質問表を示す図である。
【図９Ｒ】例示的質問表を示す図である。
【図９Ｓ】例示的質問表を示す図である。
【図９Ｔ】例示的質問表を示す図である。
【図９Ｕ】例示的質問表を示す図である。
【図９Ｖ】例示的質問表を示す図である。
【図９Ｗ】例示的質問表を示す図である。
【図９Ｘ】例示的質問表を示す図である。
【図９Ｙ】例示的質問表を示す図である。
【図９Ｚ】例示的質問表を示す図である。
【図９ＡＡ】例示的質問表を示す図である。
【図９ＢＢ】例示的質問表を示す図である。
【図９ＣＣ】例示的質問表を示す図である。
【図９ＤＤ】例示的質問表を示す図である。
【図９ＥＥ】例示的質問表を示す図である。
【発明を実施するための形態】
【００２０】
例示的実施形態について以下に詳細に論ずる。特定の例示的実施形態について論じるが、当然のことながら、これは例示を目的としてのみ行うものである。例示的実施形態を説明および図示する際、明確にするために特定の用語を用いている。しかしながら、実施形態を、その選択した特定の用語に限定しようとするものではない。実施形態の精神および範囲から逸脱することなく、他の構成要素および構成を使用できることは、当業者には認識されよう。当然のことながら、各特定の要素は、同様の目的を達成するために同様の方法で動作するあらゆる技術的等価物を含む。本明細書に説明する例および実施形態は、非制限的な例である。
【００２１】
本明細書に引用するあらゆる公開文書は、参照によりその全体が本明細書に組み込まれる。
【００２２】
本明細書で使用する場合、用語「a（１つの、ある）」は１つまたは複数を指す。用語「including（含む）」、「for example（例えば）」、「such as（〜というような）」、「may be（〜できる、〜であってよい）」などは、列挙した例を含むがそれに限るものではないことを意味する。
【００２３】
「栄養補助食品成分」（以下「成分」と称する）とは、マルチビタミンの剤形におけるような複合成分とは区別して、潜在的ユーザに効果をもたらすことを目的とした何らかの個々の化合物を指すことができる。成分の例は周知であり、個々のビタミン（例えば、ビタミンＡ、Ｂ、Ｃ、Ｄ、Ｅ、およびＫ）、ミネラル（例えば、カルシウムおよび鉄）、薬草および植物性材料（例えば、ノコギリヤシおよびイチョウ）、動物性製品（例えば、フィッシュオイル）、および場合により市販薬を含む。
【００２４】
「栄養補助食品の剤形」（以下「剤形」と称する）とは、１つまたは複数の成分を組み合せた、食用を目的とした製造品を指すことができる。剤形の例は当業者にはよく理解されており、液体、錠剤、カプセル、タブレット、およびゲルカプセルを含む。
【００２５】
「対応成分」とは、例示的ユーザが有する１つまたは複数の特定の健康状態に対処する栄養補助食品成分の識別を指す。
【００２６】
「対応剤形」とは、例示的ユーザが有する１つまたは複数の特定の健康状態に対処する栄養補助食品成分の剤形を指すことができる。
【００２７】
「食事制限」とは、例示的ユーザのある特定の化合物を摂取する能力または意欲に対する制限を指すことができる。食事制限の例には、健康に関する懸念、モラルの問題、アレルギー、菜食主義者の立場、完全菜食主義者の立場、およびユーザの嗜好を含む。
【００２８】
本発明の一実施形態において、コンピュータおよび機械的システムならびにその方法により、個人用の１日分の栄養補助食品のパッケージを提供することができる。１日分のパッケージを１週間分、１か月分、もしくは１年分の栄養補助食品の包装、または他の適切な期間の包装にまとめることができる。１日分のパッケージの代替としては、１日分のパッケージを複数、または毎日より少ない頻度、例えば１日おきに摂取するパッケージを含むことができる。
【００２９】
本発明によると、栄養調査／質問表を作成することができる。調査／質問表は、例えば栄養学に関する科学的文献の関係書類を含む知識基盤に基づいて作成することができる。質問表には、ユーザの健康／身体／生活習慣の状態のいくつかに関する一連の質問を含むことができる。
【００３０】
健康および身体の状態には、例えば、ユーザの健康全体、目の健康、呼吸器の健康、気分／精神的健康状態、記憶力／記憶保持力、睡眠力、皮膚の健康、および関節の健康を含むことができる。健康状態には、例えば、年齢、性別、アレルギー、家族歴、病歴、カルシウム摂取量、ビタミンＤ摂取量、ユーザの食習慣、ユーザのアルコール摂取量、ユーザの糖分摂取量、ユーザのソフトドリンク摂取量、ユーザのカフェイン摂取量、ユーザが服用している医薬、およびユーザの食事制限を含むことができる。女性に対しては、健康状態に、妊娠、授乳、月経前症状（５０歳未満の女性）または閉経前もしくは更年期の症状（５０歳以上の女性）についての経験、ならびに、胸部および泌尿器の健康に関する懸念もまた含むことができる。男性に対しては、泌尿器の健康、および前立腺の健康を含むことができる。
【００３１】
生活習慣の状態には、例えば、運動、心臓血管または筋力のトレーニング、大気汚染への暴露、日光への暴露、喫煙、受動喫煙、またはストレスを含む。生活習慣の状態には、食習慣、アルコール摂取量、糖分摂取量、ソフトドリンク摂取量、カフェイン摂取量、睡眠時間、および食事制限というような食生活習慣を含むことができる。
【００３２】
本発明のシステムおよび方法は、知識基盤に基づいて「準決定木（quasi-decision tree）」アルゴリズムおよび質問表を作成するステップを含むことができる。「準決定木」アルゴリズムは、例えば、所定の、具体的で完全かつ一貫性のあるデータに基づき動作することができる。知識基盤に含むことができるデータは、例えば、特定の顧客の何らかのインタラクションまたは入力より以前に、かつそれとは無関係に開発され計算された、確立され受け入れられている原理に基づくことができる。データは、様々な健康状態に与える特定の成分および／または剤形の影響に関する情報を含むことができる。各質問に対する各回答を、利用可能な成分および／または剤形の内の１つにリンクすることができる。このリンケージにより、消費者が答えなければならない質問の数、および提供する剤形の数を最小限にすることができる。各質問に対する回答を、１つまたは複数の利用可能な補助食品成分にリンクすることができ、顧客がある特定の補助食品成分を受け取るかどうかを判断するのに使用することができる。
【００３３】
コンピュータシステムは、栄養調査への回答を受信し、「準決定木」アルゴリズムを使用して、特定の列挙した質問に対する回答にある特定のタイプおよび量の補助食品を関連付けることによって、調査へのユーザの回答をカスタマイズされた栄養補給の推奨内容に転換することができる。アルゴリズムを、別の関係書類のデータベースに含まれる調査に基づいて開発してもよい。
【００３４】
本発明によると、顧客は、ワールドワイドウェブを介して本システムにアクセスすることができる。次いで、顧客／ユーザは、顧客に関する健康および栄養状態の情報を、例えば顧客自身のコンピュータ上で、インターネットを介して提供することによって、質問表および健康評価を完成させることができる。
【００３５】
一例示的実施形態において、質問表が完成され、例えば栄養補助食品提供者のサーバネットワークに提出されると、顧客の回答を、例えば、推奨の個人用の１日分の栄養補助食品のパッケージに到達する「準決定木」アルゴリズムを使用して、栄養補給のカスタマイズされた推奨内容を提供するように処理することができる。
【００３６】
各個人用の１日分のパッケージは、推奨の栄養摂取計画の一部であり、複数の剤形を含むことができる。推奨の栄養摂取計画は、複数の個人用の１日分のパッケージを含むことができる。一例示的実施形態において、複数の個人用の１日分のパッケージそれぞれが、同数の剤形を含むわけではない。推奨の栄養摂取計画は、剤形に加えて、食事および運動の推奨内容を含むことができる。
【００３７】
一例示的実施形態において、「準決定木」アルゴリズム、従って調査は、例えば、顧客の年齢、性別、家族歴、環境要因、食生活、処方薬、およびアレルギーを対象とする。推奨内容は、例えば、１日当たりの最大許容限界量、食事制限に敏感であり、アレルゲンに対する修正、１日当たりの最大許容摂取量を超えることに対する修正、および／またはフィッシュオイル量に対する修正を含む。本発明の方法は、製品を組み合わせる、適切なマルチビタミンを選択する、および、例えば手術または妊娠等、関与していない／ほとんど関与していない人に対しては最終的に無効にすることによって、錠剤数を削減するステップを含むことができる。
【００３８】
いったん識別すると、推奨の個人用の１日分の栄養補助食品のパッケージにより、顧客が、長期にわたる最適な健康を最大限に高め、１つまたは複数の健康の懸念に関する特定の問題に対処することを支援することができる。
【００３９】
一例示的実施形態において、質問表への回答およびそれらの回答の評価に基づいて、顧客は即座に、個人用の１日分の栄養補助食品のパッケージの推奨内容を受信し、状態特定パック追加推奨（単数または複数）を受信することができる。パックの内容物、補助食品の摂取量、および各パックの費用を含む推奨の科学的基盤に関する情報もまた表示することができる。
【００４０】
一例示的実施形態において、推奨を提供した後、顧客は、（１）１日分のパッケージを全く購入しない、（２）推奨の１日分のパッケージのみを購入する、（３）推奨の１日分のパッケージ、および１つまたは複数の状態特定パックを購入する、（４）推奨の１日分のパッケージの剤形の内の全てではなくいくつかを購入する、および／または（５）特に推奨されないさらなる剤形を購入する、から選択することができる。顧客は、推奨のパッケージおよび／または追加推奨（単数または複数）を、ショッピングカートの画面上で選択することができる。次いで、顧客は、補助食品の各パッケージの価格および税をみることができる。次いで、顧客は、発送方法、補助食品のパッケージの量（例えば、１、２、３、４、５、または６か月の供給分）を選択することができ、例えばクレジットカードで、補助食品のパッケージを購入する。顧客はまた、ショッピングカートの画面上で、自動発送の回数及び頻度を選択することができる。自動発送は、指定された補助食品のパッケージの量を顧客に発送する日付を指すことができる。自動発送を、顧客が以前に購入した補助食品のパッケージを使い果たすと見込まれる日の近く、またはその日に到着するように行うことができる。
【００４１】
パックの選択（単数または複数）がなされたあと、価格および税を表示することができる。さらに、各パックに個々に価格をつけてもよく、まとめて価格をつけてもよい。あらゆる１日分のパッケージに、それに含まれる剤形のタイプおよび／または量とは無関係に価格をつけてもよい。あるいは、例えば、限定ではないが、１つ、２つ、または３つの剤形（単数または複数）のみを含む１日分のパッケージに、例えば、限定ではないが、４つまたはさらに多くの剤形を含むこれらの剤形よりも安い価格をつけてもよい。各特定追加状態パックは、成分によって異なる価格を有してもよい。いくつかの実施形態において、ショッピングカートの段階では、補助食品または剤形の量は、以前に表示されたため、列挙されていない。購入される場合には、パックを、例えば１〜１０営業日後に到着するように発送する。発送コストは、製品のコストの要素に入っている。顧客は、毎月再注文する必要がないように、自動再注文を行うことができる。
【００４２】
補助食品のパッケージ（単数または複数）を受け取ると、ユーザは、例えば家で、または職場でというように、非臨床環境で、パッケージに含まれる剤形を摂取することができる。つまり、ユーザは、処方箋を手に入れることなく、栄養補助食品を入手し、摂取することができ、医師または他の何らかの医療専門家の監督下にある必要はなく、または監督下にはない。
【００４３】
図１は、個人用の１日分の栄養補助食品のパッケージを提供する例示的方法とともに使用する例示的システム１００を示す。例示的システム１００は、例えば、栄養知識基盤モジュール１０５、質問表モジュール１０６、マッピングモジュール１０７、顧客インタラクションモジュール１１０、栄養補助食品成分および／または剤形識別モジュール１１５（以下「識別モジュール１１５」）、制御モジュール１２０、包装モジュール１２５、および、例えば１日当たりのパックの形態の最終製品から構成することができる。
【００４４】
栄養知識基盤１０５は、１つまたは複数の特定の栄養知識基盤を含むことができる。例示的栄養知識基盤は、確立され受け入れられた原理に基づくことができる。例示的原理は、例えば、栄養成分が人体に与える影響、栄養成分が人間の健康状態および／または生活習慣の状態を予防／治癒／治療する方法、栄養成分と医薬との間の相互作用、およびある特定の性別、年齢、および健康状態である人向けの健康食を含む栄養成分に関するものであることができる。例示的栄養知識基盤は、栄養学者、栄養士、および／または他の何らかの保健専門家が、直接的または間接的に作成および／または保持することができる。
【００４５】
質問表モジュール１０６は、健康質問表（以下「質問表」）を生成することができる。例示的質問表は、例示的栄養知識基盤モジュール１０５に基づく一連の質問を含むことができる。例示的質問表における各例示的質問を、例示的ユーザが有しているかもしれない、または有していないかもしれない１つまたは複数の健康状態に関連付けることができる。例示的質問を、少なくとも２つの対応回答に関連付けることができる。各回答を、関連する健康状態に、および／または、少なくとも１つの例示的な予め選択した対応成分もしくは少なくとも１つの例示的対応剤形に、関連付けることができる。対応成分および／または剤形は、例えば、対応回答および栄養知識基盤に基づいて適切なレベルの栄養補給をユーザに供給する成分または剤形であることができる。
【００４６】
一例示的実施形態において、質問表は、少なくとも１つの例示的対応回答を、少なくとも１つの望ましい予め選択した対応成分（単数または複数）または剤形（単数または複数）、および、少なくとも１つの代替の予め選択した対応成分（単数または複数）または剤形（単数または複数）に関連付けることができる。代替の予め選択した対応成分（単数または複数）または剤形（単数または複数）は、望ましい予め選択した対応成分（単数または複数）または剤形（単数または複数）がユーザの食事制限を侵す場合に利用することができる。
【００４７】
例示的対応回答は、例えば、二択の回答（例えば、はい、またはいいえ）、複数の可能性のある回答から選択する回答（例えば、ドロップダウンメニュー）、または、空欄を埋めるものであることができる。例示的質問表は図９に見られ、これについては以下でさらに論じる。
【００４８】
一例示的実施形態において、質問表は、知識基盤１０５に基づいて、栄養学者、栄養士、および／または他の何らかの保健専門家によって、直接的または間接的に用意することができる。さらに、質問表は、栄養知識基盤１０５に含まれる情報を使用して、コンピュータプログラムまたはコンピュータシステムによって、全体または部分的に用意することができる。
【００４９】
マッピングモジュール１０７は、質問表モジュール１０６から質問表を受信し、各対応回答を各関連付けられた対応成分および／または剤形にリンクすることができる。各対応回答を各関連付けられた対応成分および／または剤形にリンクすることによって、マッピングモジュール１０７は、例示的質問表に含まれる質問それぞれを、それらの質問に関連付けられた対応成分および／または剤形それぞれにリンクするアルゴリズムを表すマップ１０８を作成することができる。例示的マップ１０８は、以下でさらに詳細に論じる図２および３に示す。
【００５０】
一例示的実施形態において、マップ１０８は、知識基盤１０５および質問表に基づいて、栄養学者、栄養士、および／または他の何らかの保健専門家によって、直接的または間接的に用意することができる。さらに、マップ１０８は、質問表に基づいて、任意でコンピュータプログラマの支援を受けて、コンピュータプログラムまたはコンピュータシステムによって、全体または部分的に用意することができる。
【００５１】
識別モジュール１１５は、質問表モジュール１０６から質問表を、およびマッピングモジュールからマップ１０８を受信して、質問表を顧客インタラクションモジュール１１０に提供することができる。
【００５２】
次いで、顧客インタラクションモジュール１１０は、例えば、表示インタフェースまたはスピーカを介して、ユーザに質問表を提供することができる。例示的表示インタフェースは、例示的コンピュータシステムと協働するグラフィカルユーザインタフェースの組み合わせであることができる。例示的表示インタフェース、例示的スピーカ、および例示的コンピュータシステムについては、図７に関連して以下で説明する。
【００５３】
次いで、顧客インタラクションモジュール１１０は、質問表に対する回答をユーザから受信することができる。顧客インタラクションモジュール１１０は、それらの回答を識別モジュール１１５に提供することができる。
【００５４】
識別モジュール１１５は、質問に対する回答を顧客インタラクションモジュール１１０から受信し、それらの回答を使用して、マッピングモジュール１０７から受信したマップ１０８に基づき、質問表に応じてユーザが与えた回答に対応する対応成分（単数または複数）および／または対応剤形（単数または複数）のセットを識別することができる。一例示的実施形態において、対応成分（単数または複数）および／または対応剤形（単数または複数）は、ユーザによる定期的な摂取（例えば、毎日、１日おき、２日おき、週１回、週２回、月１回）に対するものであっても、不定期的な摂取に対するものであってもよい。
【００５５】
例示的制御モジュール１２０は、対応成分（単数または複数）および／または対応剤形（単数または複数）のセットを受信し、推奨の栄養補助食品の摂取計画を識別することができる。制御モジュール１２０は、対応成分（単数または複数）および／または対応剤形（単数または複数）のセットを修正および／または最適化して、剤形だけを含む推奨の栄養補助食品の摂取計画に到達することによって、例示的な推奨の栄養補助食品の摂取計画を識別することができる。
【００５６】
制御モジュールは、ユーザにとって危険または悪影響のある可能性のある成分（単数または複数）および／または対応剤形（単数または複数）を識別して対応成分（単数または複数）および／または対応剤形（単数または複数）のセットを修正することによって、対応成分（単数または複数）および／または対応剤形（単数または複数）のセットを修正することができる。ユーザにとって危険または悪影響のある可能性のある成分（単数または複数）および／または対応剤形（単数または複数）には、例えば、ユーザがアレルギーのある成分（単数または複数）および／または対応剤形（単数または複数）、ユーザが服用している医薬とマイナスに相互作用する成分（単数または複数）および／または対応剤形（単数または複数）、および、ユーザの食事制限を侵す成分（単数または複数）および／または対応剤形（単数または複数）を含むことができる。さらに、成分（単数または複数）および／または対応剤形（単数または複数）は、対応成分（単数または複数）および／または対応剤形（単数または複数）のセットが、ある特定成分を推奨される１日当たりの許容量以上に含む場合、危険である可能性がある。識別した時点で、制御モジュールは、何らかの問題となる成分の量を減らす、および／または代替成分を識別し摂取計画に加えることができる。代替成分は、様々な質問に対する回答に関連付けられた栄養素の所定のセットの一部として、マップにおいて識別することができる。
【００５７】
制御モジュール１２０は、包装モジュール１２５（以下で説明する）と協働して、組合せ剤形を識別することによって、対応成分（単数または複数）および／または対応剤形（単数または複数）のセットを最適化することができる。組合せ剤形により、制御モジュール１２０は、対応成分（単数または複数）および／または対応剤形（単数または複数）のセットにおける対応成分（単数または複数）および／または対応剤形（単数または複数）の数を最小限にすることができる。例えば、制御モジュール１２０は、推奨のセットから２つ以上の剤形に代わる組合せ剤形を識別することができる。制御モジュール１２０はまた、対応成分（単数または複数）および／または対応剤形（単数または複数）のセットから、各対応成分（単数または複数）を含む最小数の組み合わせ剤形を識別することができる。制御モジュール１２０はまた、対応成分（単数または複数）および／または対応剤形（単数または複数）のセットから、対応成分（単数または複数）および／または対応剤形（単数または複数）の全て、またはほぼ全てを含む組合せ剤形のセットを選択することによって、最適化することができる。例えば、制御モジュールを、１日分のパッケージ当たりの剤形の数を、５、６、７、８、９、１０、１１、１２、または１３の剤形（または、消費者の好み、剤形の内容物、および選択されたパックの数に応じて、より少ないまたはより多い数）に限定し、推奨のセットにその成分または剤形を全て含むように設定することができる。
【００５８】
一例示的実施形態において、制御モジュール１２０はさらに、対応成分（単数または複数）および／または対応剤形（単数または複数）のセットを、在庫切れのそれらの対応剤形（単数または複数）の代わりに代替の剤形（単数または複数）を用いることによって調整することができる。制御モジュール１２０は、例えば、包装モジュール１２５から、剤形（単数または複数）の利用可能性に関する情報を受信することができる。この情報を、リアルタイムベースで、要求に応じて、定期的に、または不定期な間隔で共有することができる。
【００５９】
本発明によると、制御モジュール１２０は、剤形ではなく１つまたは複数の対応成分（単数または複数）を含むセットを受信した場合、対応成分の全て、またはほぼ全てを含む対応剤形を識別することができる。制御モジュール１２０は、例えば、包装モジュール１２５に存在する対応剤形を識別することができる。
【００６０】
次いで、制御モジュール１２０は、顧客インタラクションモジュール１１０と通信して、１つまたは複数の１日分のパックを含む推奨の栄養補助食品の摂取計画を販売するオファーをユーザに出すことができる。制御モジュール１２０はまた、本明細書の他の部分で説明するように、顧客が、推奨の栄養補助食品の摂取計画全体より少なく、または推奨の栄養補助食品の摂取計画より多く買えるようにすることができる。ユーザが受け入れる場合、顧客インタラクションモジュール１１０は、支払および発送の情報を入手し、さらに後に使用するためにユーザの情報を記憶することができる。
【００６１】
次いで、制御モジュール１２０は、栄養製品包装モジュール１２５を制御することができる。
【００６２】
栄養製品包装モジュール１２５は、推奨の栄養補助食品の摂取計画を制御モジュール１２０から受信し、１つまたは複数の１日分のパック１３０を包装することができる。栄養製品包装モジュール１２５は、例えば、複数の利用可能な剤形を含むことができる。包装モジュール１２５は、推奨の栄養補助食品の摂取計画における剤形の数に等しいか、それよりも多い数の剤形を含むことができる。例えば、栄養製品包装モジュール１２５は、１０、２０、３０、または４０の異なる剤形を含み、各剤形の単一単位を、共通の１日分のパックに分配することを可能にすることができる。
【００６３】
一例示的実施形態において、各１日分のパックは、推奨の栄養補助食品の摂取計画に一致する１日当たりに相当する剤形を含むことができる。１日分のパック１３０を、例えば、２週間分、２８日（４週間）分、３０日（すなわち、１か月）分、６０日（すなわち、２か月）分、および／または９０日（すなわち、３か月）分のグループにまとめることができる。さらに、パックのグループの中の１日分のパック１３０は、例えば、例示的な摂取量を毎日摂取すべきではない場合、必ずしも同数の錠剤を含まなくてもよい。従って、個々の１日分のパック１３０は、例えば、１日おき、週１回、月１回ベースで摂取すべき摂取量を含むことができる。
【００６４】
一例示的実施形態において、栄養製品包装モジュール１２５は、制御モジュール１２０と通信して、在庫のある、または在庫切れの栄養補助食品の剤形に関する情報をやり取りすることができる。制御モジュール１２０は、推奨の栄養補助食品の摂取計画を識別する場合、この情報を利用することができる。例えば、栄養包装モジュール１２５が、ある栄養補助食品の剤形が在庫切れであることを示す場合、この情報を、制御モジュール１２０に伝えることができる。次いで、制御モジュール１２０は、その成分が補充されるまで発送を遅らせるか、または、在庫切れの栄養補助食品の剤形に代わる代替の剤形を識別することができ、次いで、修正した栄養補助食品の剤形の摂取計画を更新することができる。
【００６５】
次いで、フルフィルメントモジュール１３５は、以前に入手した発送情報を使用して、１日分のパックをユーザに発送することができる。
【００６６】
図２は、例示的アルゴリズムの例示的な質問−回答−栄養補助食品マップ２００を示す。図２を図１に関連付けて説明する。一例示的実施形態において、マップ２００は、栄養知識基盤モジュール１０５、質問表モジュール１０６に基づくことでき、ユーザがある健康状態に陥らないよう予防し、および／または現在の健康状態に対してユーザを治療することを目的とすることができる。例示的マップ２００は、質問および回答、健康状態、栄養補助食品、および／または栄養補助食品の剤形間の関係がマッピングされた「準決定木」であることができる。一例示的実施形態において、マップ２００は、回答に至る質問のみを含むことができ、それらの回答を、ある栄養補助食品および／またはある栄養補助食品の剤形を必要とするある健康状態にリンクする。しかしながら、別の例示的実施形態においては、特定の質問が、ある栄養補助食品および／またはある栄養補助食品の剤形を必要とするある健康状態に、直接的または間接的にもリンクしていない回答を有してもよい。例えば、ユーザの食生活に十分な量の魚類が含まれている場合、ユーザは、食生活にさらにオメガ３を追加する必要はなく、従って、推奨の摂取計画の中でオメガ３を受け取ることはない。
【００６７】
例示的マップ２００により、質問表を一連の質問および回答として簡単に示すことができ、各回答を、ある栄養補助食品および／または栄養補助食品の剤形に、具体的な所定の完全な方法でリンクする。例示的マップ２００を、ユーザが質問表を見る前に確立することができる。質問対回答対栄養補助食品および／または栄養補助食品の剤形のマップ、すなわち１対１対１のマッピングを確立することによって、例示的マップ２００は、各ユーザに対するカスタマイズされた推奨の栄養補助食品の摂取計画の素早い識別を可能にして、効率を向上させる。本発明のコンピュータシステムまたはそのオペレータは、このようなマップを実際に使用してもしなくてもよいが、図２に示すような論理は、本発明によるアルゴリズムを用いる特定の方法に潜在し、用語「マップ」または「質問−回答−栄養補助食品マップ」は、実際のマップまたは潜在のマップの両方の意味で使用するものである。
【００６８】
一例示的実施形態において、マップ２００は、２方向（すなわち、回答Ａ１、Ａ２）に回答することができる質問Ｑ１を示すことができる。ユーザが回答Ａ１または回答Ａ２を選択すると、例示的マップ２００は、識別モジュール１１５が、回答に前もってリンクした関連する健康状態（ＨＣ１またはＨＣ２）を識別する支援をすることができる。ユーザが与えた回答に対応する健康状態を識別した後、次いで、例示的マップ２００は、識別モジュール１１５が、識別した健康状態に対処する栄養補助食品、および／またはその健康状態に対応する栄養補助食品を含む栄養補助食品の剤形を識別する支援をすることができる。例示的マップ２００の一代替的実施形態においては、例示的マップ２００は、健康状態ＨＣ１〜ＨＣ６を省略し、栄養補助食品および／または栄養補助食品の剤形に直接リンクした回答を有してもよい。
【００６９】
図３は、例示的アルゴリズムの例示的な質問−回答−栄養補助食品マップ３００を示す。図３を図１に関連付けて説明する。マップ３００はマップ２００と同様のようだが、マップ３００は、健康状態を、例示的マップ２００にあるように栄養補助食品にリンクするのではなく、栄養補助食品の剤形に直接リンクする。例示的マップ２００と同様に、例示的アルゴリズム３００の一代替的実施形態においては、回答にリンクした健康状態を含まなくてもよい。むしろ、回答を、対応する健康状態に対処する栄養補助食品の剤形に、直接リンクすることができる。剤形は、１つまたは複数の成分を含むことができる。
【００７０】
例示的マップまたはアルゴリズム２００および／または３００を制御モジュール１２０によって使用して、顧客インタラクションモジュール１１０によってユーザに提供した質問に対する回答を、解釈することができる。例えば、例示的アルゴリズム２００または３００は、推奨の栄養補助食品の剤形の摂取計画の基礎としての役割を果たす栄養補助食品（単数または複数）および／または栄養補助食品の剤形を識別することができる。
【００７１】
図４は、例示的アルゴリズムの例示的な質問−回答−栄養補助食品マップ４００を示す。図４は、図２および３に似たマップ４００を表すが、健康状態を省略している。
【００７２】
一例示的実施形態において、例示的マップ４００は、ユーザの食事制限との不一致の識別、およびその不一致の解決を支援することができる。マップ４００は、例えば、ユーザが有している少なくとも１つの食事制限に対して、１つまたは複数の代替の剤形を識別する例示的アルゴリズムに基づくことができる。例えば、質問Ｑ４で、ユーザがある特定のまたは一般的な食事制限をしているかどうかを尋ねることができる。ユーザがある特定の食事制限をしていないと示す場合、マップ４００は回答Ａ６および剤形Ｄ４へと進むことができる。しかしユーザがある特定の食事制限をしていると示す場合、マップ４００は、回答７および剤形Ｄ５へと続くことができる。剤形Ｄ５は、剤形Ｄ４の代替の剤形であることができる。
【００７３】
図５は、個人用の１日分の栄養補助食品のパッケージを提供する例示的方法の例示的フローチャートを示す。プロセス５００を、図１、図２、および図３に関連付けて説明する。プロセス５００は、ブロック５０５で開始することができる。
【００７４】
ブロック５０５において、１つまたは複数の健康状態を、質問表モジュール１０６によって、栄養知識基盤１０５に含まれる複数の健康状態から識別することができる。栄養知識基盤は、例えば、様々な人口率の人が有する複数の健康状態に関する統計または情報、および、一般的な栄養不足、栄養不足の警告サインなど含むことができる。知識基盤１０５はまた、１つまたは複数の健康状態に陥らせるリスク要因、および／またはユーザが１つまたは複数の健康状態に陥ることを避けることができる方法に関する情報を含むことができる。一例示的実施形態において、ブロック５０５において、質問表に含めるよう、知識基盤１０５に含まれる複数の健康状態のサブセットを選択することができる。さらに、ブロック５０５において、多数の健康状態ではなく、対処すべき管理可能な数の健康状態を識別することができる。例えば、図２および３において、例示的マップ２００および３００は、健康状態ＨＣ１〜ＨＣ６を４つだけ含んでもよい。または、５、６、７、１０、１２、またはもっと多くの健康状態を含んでもよい。健康状態ＨＣ１〜ＨＣ６は、平均的なユーザが有する一般的または一般的ではない健康状態を表すことができる。ブロック５０５から、プロセス５００はブロック５１０へと続くことができる。
【００７５】
ブロック５１０において、識別した健康状態に関連付けられる栄養補助食品および／または栄養補助食品の剤形を、質問表モジュール１０６によって識別することができる。識別した健康状態に関連付けられる栄養補助食品および／または栄養補助食品の剤形には、例えば、１つまたは複数の識別した健康状態に対処する、１つまたは複数の識別した健康状態を治癒する、修正する、および／または隠す補助食品および／または剤形を含むことができるが、これらに限るものではない。一例示的実施形態において、ブロック５１０を、栄養知識基盤１０５によって実施するか、または栄養知識基盤１０５に含めることができる。例えば、図２および３において、栄養補助食品ＮＳ１〜ＮＳ５および／または栄養補助食品の剤形Ｄ１〜Ｄ４を、栄養知識基盤１０５によって識別することができる。これらの栄養補助食品および栄養補助食品の剤形を、１つまたは複数の健康状態ＨＣ１〜ＨＣ６に関連付けることができる。ブロック５１０から、プロセス５００はブロック５１５へと続くことができる。
【００７６】
ブロック５１５において、ブロック５０５および５１０において質問表モジュール１０６によって選択した健康状態および関連する栄養補助食品に基づいて、質問表を作成することができる。例示的質問表は、一連の質問および回答を含み、各質問を少なくとも２つの対応回答に関連づける。例示的質問表を図９に示す。一例示的実施形態において、質問表を質問表モジュール１０６によって作成する。例えば、図２および３において、質問Ｑ１〜Ｑ４を回答Ａ１〜Ａ６に関連付けることができる。ブロック５１５から、プロセス５００はブロック５２０へと続くことができる。
【００７７】
ブロック５２０において、質問表内の質問および回答ならびに識別した健康状態と、栄養補助食品および／または栄養補助食品の剤形との間の関係をマッピングすることができる。例示的マッピングは、健康状態に関する質問と、質問に関する回答と、健康状態に対処する栄養補助食品および／または栄養補助食品の剤形との間の、１対１対１のリンケージを含むことができる。上記の例で続けると、例示的マップは、図２、３、および４の例示的マップ２００および／または例示的マップ３００と同様することができ、質問Ｑ１〜Ｑ４、回答Ａ１〜Ａ６、健康状態ＨＣ１〜ＨＣ６と、栄養補助食品ＮＳ１〜ＮＳ５および／または栄養補助食品の剤形Ｄ１〜Ｄ４と間の関係を、マッピングすることができる。ブロック５２０から、プロセス５００はブロック５２５へと続くことができる。
【００７８】
ブロック５２５において、質問表をユーザに提供する。一例示的実施形態において、質問表を、顧客インタラクションモジュール１１０によって、ユーザに提供することができる。ブロック５２５から、プロセス５００はブロック５３０へと続くことができる。
【００７９】
ブロック５３０において、質問表からの結果を受け取ることができる。一例示的実施形態において、質問表に対する結果を、顧客インタラクションモジュール１１０によって受信し、識別モジュール１１５に送信することができる。ブロック５３０から、プロセス５００はブロック５３５へと続くことができる。
【００８０】
ブロック５３５において、対応成分（単数または複数）および／または対応剤形（単数または複数）のセットを、マッピングに基づき、識別モジュール１１５によって識別することができる。ブロック５３５から、プロセス５００はブロック５４０へと続くことができる。
【００８１】
ブロック５４０において、推奨の摂取計画を、対応成分（単数または複数）および／または対応剤形（単数または複数）のセットを修正および／または調整することによって識別することができる。一例示的実施形態において、特定のビタミンおよびミネラルの１日分の最大許容制限量、ユーザのアレルギー、ユーザの食に関する好み、または重複する栄養補助食品および／または栄養補助食品の剤形に対して調整するために、推奨の摂取計画を減らすおよび／または修正することができる。ユーザの食に関する好みの例とは、例えば、フィッシュオイルというような特定の栄養補助食品および／または剤形のユーザの好き嫌い、動物性製品を避けたいおよび／または有機製品を入手したいというユーザの要望である。一例示的実施形態において、１日分のパッケージは、最低限で１〜３錠、最大限で６、８、１０、または１２錠を含むことができる。ブロック５４０から、プロセス５００はブロック５４５へと続くことができる。
【００８２】
ブロック５４５において、修正した推奨の摂取計画をユーザに提供することができる。一例示的実施形態において、修正した推奨の摂取計画の１日当たりの供給分を含む１日分のパッケージを複数販売するオファーの形で、修正した推奨の摂取計画をユーザに提供することができる。次いで、ユーザは、販売のオファーを受け入れるか、または販売のオファーを断るかを選択することができる。さらに、ユーザは、推奨の栄養補助食品の摂取計画における剤形全てより少なく購入することが可能である。１日分のパッケージの例示的包装については、図６に関連して説明する。ブロック５４５から、プロセス５００はブロック５５０へと続くことができる。
【００８３】
ブロック５５０において、ユーザに、さらなる追加製品の販売のオファーを提示することができる。一例示的実施形態において、追加製品は、ユーザの一般的健康状態を向上させる１つまたは複数の栄養補助食品または剤形のグループであることができる。例示的な一般的健康状態には、心臓の健康、視力、脳の機能、筋肉量などを含むことができる。これらの追加製品を、質問表へのユーザの応答に関わらずユーザにオファーすることができる。ブロック５５０から、プロセス５００はブロック５５５へと続くことができる。
【００８４】
ブロック５５５において、顧客の注文を、制御モジュール１２０によって受信することができる。ブロック５５５から、プロセス５００はブロック５６０へと続くことができる。
【００８５】
ブロック５６０において、修正した推奨の摂取計画を、包装モジュール１３０によってまとめることができる。ブロック５６０から、プロセス５００はブロック５６５へと続くことができる。
【００８６】
ブロック５６５において、摂取計画をユーザに発送することができる。ブロック５６５から、プロセス５００はブロック５７０へと続くことができる。
【００８７】
ブロック５７０において、プロセスは終了することができる。
【００８８】
図６は、個人用の１日分の栄養補助食品のパッケージをまとめる例示的システム６００を示す。システム６００は、例えば制御装置６０５を備える。例示的制御装置６０５は、図１のブロック１１０に関連して説明している。例示的制御装置６０５を、例えば、ホッパ６１０Ａ〜６１０Ｘおよびアセンブリ装置６２０に接続／連結することができるが、これらに限るものではない。
【００８９】
システム６００はまた、複数のホッパを含むことができ、その複数のホッパのそれぞれが、異なる剤形を含むことができる。システム６００は、図示しやすいように、例示的ホッパ６１０Ａ〜６１０Ｘを３つのみ含んでいる。システム６００において、ホッパ６１０Ａは剤形６１５Ａを含み、ホッパ６１０Ｂは剤形６１５Ｂを含み、ホッパ６１０Ｘは剤形６１５Ｘを含む。一例示的実施形態において、ホッパ６１０Ａ〜６１０Ｘを、ある特定の補助食品のみを分配することができよう設計することができる。例えば、ホッパ６１０Ａは、剤形を分配する前に、剤形６１５Ｂまたは６１５Ｘの存在を、剤形の大きさ、重さ、色などを検出することによって、検出することが可能である。ホッパ６１０Ａが補助食品６１５Ａ以外の補助食品を検出する場合、ホッパ６１０Ａが誤った補助食品を分配することはない。
【００９０】
システム６００はまた、アセンブリ装置６２０を含むことができる。アセンブリ装置６２０は、個々の剤形を１日分のパッケージに入れるために必要な機械装置を含むことができる。例えば、アセンブリ装置６２０は、コンベヤーベルト、制御ノズルなどを含むことができる。一例示的実施形態において、アセンブリ装置６２０は、ホッパ６１０Ａ〜６１０Ｘに共通であることができ、またはホッパ６１０Ａ〜６１０Ｘのそれぞれに連結することができる。一例示的実施形態において、アセンブリ装置６２０を、特定の補助食品のみを１日分のパッケージに入れることができるよう設計することができる。例えば、アセンブリ装置６２０は、剤形を処理する前に、誤った剤形の存在を、剤形の大きさ、重さ、色などを検出することによって、検出することが可能である。アセンブリ装置６２０が誤った補助食品（すなわち、１日分のパッケージ内に入れるべきではないと思われる補助食品）を検出する場合、アセンブリ装置６２０は、誤った補助食品が１日分のパッケージに含まれるのを防ぐことができる。
【００９１】
システム６００は、１日分の栄養補助食品のパッケージの組み合わせ品６２５、または１日分の栄養補助食品のパッケージのセット６２５で完了することができる。例えば、図６の完成した１日分の栄養補助食品のパッケージ６２５は、剤形６１５Ａを２つ、剤形６１５Ｂを１つ、および剤形６１５Ｘを３つ含んでいる。
【００９２】
図７は、モジュール１０５、１０６、１０７、１０８、１１０、１１５、１２０、１２５、１３０、および１３５などにおいて、またはそれらと組み合わせて使用できるような、かつ、本発明の一例示的実施形態を実装するのに使用できる、例示的コンピュータシステム７００を示す。具体的には、図７は、本発明の一例示的実施形態に従って、クライアントおよび／またはサーバなどというようなコンピューティング装置で使用できるコンピュータシステム７００を示す。本発明（または、その任意の部分（単数または複数）もしくはその機能（単数または複数））を、ハードウェア、ソフトウェア、ファームウェア、および／またはそれらの組み合わせを使用して実装することができ、１つまたは複数のコンピュータシステム７００または他の処理システムにおいて実装することができる。本発明は、本明細書に説明した機能を実施することが可能な１つまたは複数のコンピュータシステムを対象とすることができる。具体的には、図７はコンピュータの例７００を示し、これは、例えば、ＭＩＣＲＯＳＯＦＴ（登録商標）ＷＩＮＤＯＷＳ（登録商標）ＮＴ／９８／２０００／ＸＰ／ＣＥ／ＭＥ／ＶＩＳＴＡなどといったオペレーティングシステムを実行するＰＣ（personal computer）システム、またはＭＡＣ  ＯＳを実行するＡＰＰＬＥ社のコンピュータとすることができる。しかしながら、本発明はこれらのプラットフォームに限るものではない。代わりに、本発明を、任意の適切なオペレーティングシステムを実行する任意の適切なコンピュータシステム上で実装することができる。他の例示的コンピュータシステムは、さらなる構成要素、例えば、コンピューティング装置、通信装置、携帯電話、電話装置、ｉＰｈｏｎｅ（米国カリフォルニア州クパティーノにあるＡｐｐｌｅ社から入手可能）、３Ｇ無線装置、無線装置、電話、ＰＤＡ（personal digital assistant）、ＰＣ（personal computer）、ハンドヘルド装置、ポータブル装置、双方向テレビ装置（ｉＴＶ）、ＤＶＲ（digital video recorder）、クライアントワークステーション、シンクライアント、シッククライアント、ファットクライアント、プロキシサーバ、ネットワーク通信サーバ、リモートアクセス装置、クライアントコンピュータ、サーバコンピュータ、ピアツーピア装置、ルータ、ゲートウェイ、ウェブサーバ、データ、メディア、オーディオ、ビデオ、電話、またはストリーミングの技術サーバ、ゲームコンソール、コンテンツ配信システムなどを含むことができる。一例示的実施形態において、例えば、双方向テレビ装置（ｉＴＶ）、ＶＯＤ（video on demand）システムを使用して、ＤＶＲ（digital video recorder）、および／または他のオンデマンド視聴システムを介して、サービスをオンデマンドで提供することができる。
【００９３】
コンピュータシステム７００は、例えばプロセッサ（単数または複数）７０４というような、１つまたは複数のプロセッサを含むことができる。プロセッサ（単数または複数）７０４は、通信インフラストラクチャ７０６（例えば、通信バス、クロスオーバーバー、またはネットワークなど）に連結および／または接続される。様々な例示的実施形態を、この例示的コンピュータシステム７００に関して説明することができる。本説明を読むと、他のコンピュータシステムおよび／またはアーキテクチャを使用して本発明を実装する方法は、当業者には明らかとなろう。
【００９４】
コンピュータシステム７００は、例えばグラフィックス、テキスト、および他のデータなどを、通信インフラストラクチャ７０６から（または、図示していないが、フレームバッファなどから）表示ユニット７３０上で表示するために転送することができる、表示インタフェース７３１を含むことができる。表示ユニット７３０は、例えば、テレビ、コンピュータのモニタ、および携帯電話の画面とすることができる。または、スピーカを通して、音声として出力することができる。
【００９５】
コンピュータシステム７００はまた、例えば、メインメモリ７０８、ＲＡＭ（random access memory）、および二次メモリ７１０などを含むことができるが、これらに限るものではない。二次メモリ７１０は、例えば、ハードディスクドライブ７１２、および／または、フロッピーディスクドライブ、磁気テープドライブ、光ディスクドライブ、光磁気、コンパクトディスクドライブＣＤ−ＲＯＭなどを表す取外し可能記憶ドライブ７１４というような、コンピュータ可読媒体を含むことができる。取外し可能記憶ドライブ７１４は、例えば、周知の方法で、取外し可能記憶ユニット７１８に読み書きすることができる。取外し可能記憶ユニット７１８は、プログラム記憶装置またはコンピュータプログラム製品ともいわれ、例えば、取外し可能記憶ドライブ７１４によって読み書き可能なフロッピディスク、磁気テープ、光ディスク、コンパクトディスクなどを表すことができる。認識されるように、取外し可能記憶ユニット７１８には、コンピュータソフトウェアおよび／またはデータをそこに記憶しているコンピュータが使用可能な媒体を含むことができる。いくつかの実施形態においては、「機械アクセス可能媒体」が、コンピュータによりアクセス可能なデータを記憶するために使用される任意の記憶装置を指すことができる。機械アクセス可能媒体の例には、例えば、磁気ハードディスク、フロッピディスク、ＣＤ−ＲＯＭ（compact disk read-only memory）、フラッシュメモリ、不揮発性メモリ、またはＤＶＤ（digital versatile disk）というような光ディスク、ＤＶＲ（digital video recorder）ディスク、磁気テープ、およびメモリチップなどを含むことができる。
【００９６】
代替的例示的実施形態においては、二次メモリ７１０は、コンピュータプログラムまたは他の命令をコンピュータシステム７００にロードすることができる他の同様の装置を含むことができる。そのような装置は、例えば、取外し可能記憶ユニット７２２およびインタフェース７２０を含むことができる。そのような装置の例には、プログラムカートリッジおよびカートリッジインタフェース（例えば、ビデオゲーム装置に見られるもの）、取外し可能メモリチップ（例えば、ＥＰＲＯＭ（erasable programmable read only memory）、またはＰＲＯＭ（programmable read only memory））および関連ソケット、ならびに、ソフトウェアおよびデータを取外し可能記憶ユニット７２２からコンピュータシステム７００に転送することができる他の取外し可能記憶ユニット７２２およびインタフェース７２０を含むことができる。
【００９７】
コンピュータ７００はまた、例えば、マウス７０６またはデジタイザというような他のポインティング装置、オーディオキャプチャ装置７２８（例えば、マイクロフォン）、画像ビデオ／ビジュアルキャプチャ装置７３２（例えば、カメラ）、およびキーボード７０５、ならびに／または他のデータ入力装置（図示せず）などというような、入力装置を含むことができる。
【００９８】
コンピュータ７００はまた、例えば、表示装置７３０、表示インタフェース７３１、および／またはスピーカ７０７などというような、出力装置を含むことができる。例えばプリンタなどを含む他の出力装置を使用することもできる。コンピュータ７００は、例えば、通信インタフェース７２４および通信パス７２６などというような、入出力（Ｉ／Ｏ）装置を含むことができる。これらの装置は、例えば、ネットワークインタフェースカード７０２およびモデム（単数または複数）７０３を含むことができる。通信インタフェース７２４により、ソフトウェアおよびデータを、コンピュータシステム７００と外部装置との間で転送することができる。
【００９９】
本明細書において、用語「コンピュータプログラム媒体」および「コンピュータ可読媒体」は、一般的に、例えば、取外し可能記憶ドライブ７１４、ハードディスクドライブ７１２に組み込まれたハードディスク、ＳＡＮ（storage area network）、データベースなどというような媒体を指すために使用することができる。これらのコンピュータプログラム製品は、ソフトウェアをコンピュータシステム７００に提供することができる。本発明はこのようなコンピュータプログラム製品を対象とすることができる。いくつかの場合においては、コンピュータプログラム製品は、通信システムを介して配信され、次いで記憶装置に記憶されることが可能なソフトウェアを含むことができる。
【０１００】
図８Ａ〜８Ｇは、上に論じた本発明の様々な実施形態を取り入れる例示的ウェブサイトを示す。
【０１０１】
図８Ａは、１日分の栄養補助食品のパッケージを提供する会社の例示的ホームページ８００Ａを示す。ホームページ８００Ａ上で、ユーザは、アイコン８０２の内の１つを選択して会社のホームページを再ロードする、アイコン８０４の内の１つを選択して会社のサービスに関する情報にアクセスする、アイコン８０６の内の１つを選択して調査／質問表に答える、アイコン８０８の内の１つを選択してビタミンの基本パックの作成を開始する、アイコン８１０の内の１つを選択して利用可能な栄養補助食品の剤形（例えば、ビタミン）に関する情報にアクセスする、アイコン８１２の内の１つを選択して専門家とチャットをする、アイコン８１４の内の１つを選択して自分のアカウントにログインする、アイコン８１６を選択して携帯電話のリマインダに登録する、アイコン８１８を選択して会社に関する情報にアクセスする、アイコン８２０を選択してよくある質問にアクセスする、アイコン８２２を選択してサイトマップを閲覧する、アイコン８２４を選択して電子メールリストサーブに登録する、または、アイコン８２６を選択して関連するウェブサイトを閲覧することができる。
【０１０２】
図８Ｂにおいて、ユーザが質問表に答えるためにアイコン８０６の内の１つを選択すると、ユーザにページ８００Ｂを提示することができる。ページ８００Ｂにおいて、ファーストネーム８２８および電子メールアドレス８３０を入力するよう、ユーザに依頼することができる。また、会社の利用条件に同意するかどうか８３２、ならびに、質問表の結果を電子メールを介して連絡することおよび会社の電子メールリストに登録することを望むかどうか８３４を、ユーザに尋ねることができる。アイコン８３６を選択し質問表に答えるために、最低限、名前８２８を入力し会社の利用条件に同意する８３２よう、ユーザに要求することができる。また、質問表に答えるために、有効な電子メールアドレスを提供するようユーザに要求することができる。
【０１０３】
図８Ｃにおいて、ユーザがページ８００Ｂを完成させ、アイコン８３６を選択すると、ページ８００Ｃに類似する一連のページを介して、ユーザに質問表を提示することができる。ページ８００Ｃにおいて、ウィンドウ８４０にて例示的質問表からの質問をユーザに提示する。ウィンドウ８４０において質問に応答すると、ユーザは、アイコン８４２を選択して前の質問に戻り自分の答えを見直す、またはアイコン８４４を選択して次の質問に進むことができる。ユーザはまた、図８Ｄ内のウィンドウ８４８におけるある特定の質問の簡潔な説明を受け取るために、アイコン８４６を選択することができる。さらに、ステータスバー８３８によって、ユーザが質問表をどれほど完成させ、あとどれほど残っているかを、ユーザに視覚的に表すことができる。
【０１０４】
図８Ｅにおいて、ユーザが質問表を完成させると、推奨の１日分の摂取計画を、例示的ページ８００Ｅにてユーザに提示することができる。例示的ページ８００Ｅにおいて、１つまたは複数の栄養補助食品の剤形から成る推奨の１日分の摂取計画を８５０で表示する。推奨の１日分の摂取計画は、ユーザの質問表への応答に基づいて識別することができる。ページ８００Ｅ上で、ユーザはまた、アイコン８５２を選択して質問表に再度答える、またはアイコン８５４を選択して買物を開始することができる。ページ８００Ｅはまた、広告を表示することができる１つまたは複数の領域８５６を含むことができる。
【０１０５】
図８に示すページ８００Ｅでユーザがアイコン８５４を選択すると、ユーザを、図８Ｆに示すページ８００Ｆに導くことができる。図８Ｆにおいて、利用可能な栄養製品８５８全てのリスト、１つまた複数の栄養製品から成るユーザの推奨の１日分の摂取計画８６０、およびユーザのショッピングカート８６２を、ユーザに提示することができる。利用可能な栄養製品８５８のリストを、ドロップダウンメニュ−８７２を介して、価格によって（安い順または高い順）、名前によって、および／または推奨によって（例えば、ユーザに推奨した製品を、ユーザの推奨の１日分の摂取計画の部分としてまず列挙し、そのあとに推奨しなかった製品が続く）分類することができる。利用可能な栄養製品８５８のリストおよびユーザの推奨の１日分の摂取計画の両方とも、複数の日数（例えば、２８日）の供給分の価格を含むことができる。ユーザは、アイコン８６４を選択してユーザのショッピングカート８６２に個々の栄養製品８５８を加えるか、または、アイコン８６６を選択して、ユーザの例示的な推奨の１日分の摂取計画８６０を含む栄養製品全てをショッピングカート８６２に加えることができる。
【０１０６】
図８Ｇにおいて、ページ８００Ｇは、ユーザがアイコン８６６を選択した後ショッピングカート８６２に加えられたユーザの例示的な推奨の１日分の摂取計画８６０における各栄養補助食品、および、ユーザがアイコン８７０を選択した後ショッピングカート８６２に加えられた１つの追加製品８６８を含む、例示的ショッピングカート８６２を含む。さらに、ページ８００Ｇは、ユーザの例示的な推奨の１日分の摂取計画の部分は１日当たり何錠か８７４、および、ユーザのショッピングカートに含まれる栄養補助食品の部分は１日当たり何錠か８７６を、表示することができる。精算の準備が整うと、ユーザはアイコン８７８を選択することができる。
【０１０７】
図８Ｈにおいて、ユーザのアイコン８７８の選択に応じて、ページ８００Ｈを表示する。ページ８００Ｈにおいて、ユーザは、自分のショッピングカート８８０を見直し、箱のデザイン８８２を選択し、販売促進コード８８４を入力し、かつ、発送オプション８８６を選択することができる。以上全てを入力すると、ユーザは、アイコン８８８を選択して支払情報を入力するか、またはページ８００Ｇに戻ることができる。
【０１０８】
図９Ａ〜９ＥＥは、例示的質問表を示す。例示的質問表は、例えば、図２〜４に関連して論じたアルゴリズムのようなアルゴリズムに基づくことができる。例示的質問表は、例示的質問、および、各個々の質問に対する例示的回答を含む。例示的質問表にはまた、各質問に対する各回答に関連付けられた栄養補助食品を列挙する。例示的質問表にはまた、ある特定の質問に対する回答に関連付けられた栄養補助食品に関連する、可能性のあるコメントおよび／または食に関する提案を列挙する。
【図１】
2012533799.tif 000003
【図２】
2012533799.tif 000004
【図３】
2012533799.tif 000005
【図４】
2012533799.tif 000006
【図５】
2012533799.tif 000007
【図６】
2012533799.tif 000008
【図７】
2012533799.tif 000009
【図８Ａ】
2012533799.tif 000010
【図８Ｂ】
2012533799.tif 000011
【図８Ｃ】
2012533799.tif 000012
【図８Ｄ】
2012533799.tif 000013
【図８Ｅ】
2012533799.tif 000014
【図８Ｆ】
2012533799.tif 000015
【図８Ｇ】
2012533799.tif 000016
【図８Ｈ】
2012533799.tif 000017
【図９Ａ】
2012533799.tif 000018
2012533799.tif 000019
【図９Ｂ】
2012533799.tif 000020
2012533799.tif 000021
【図９Ｃ】
2012533799.tif 000022
【図９Ｄ】
2012533799.tif 000023
【図９Ｅ】
2012533799.tif 000024
2012533799.tif 000025
【図９Ｆ】
2012533799.tif 000026
2012533799.tif 000027
【図９Ｇ】
2012533799.tif 000028
2012533799.tif 000029
【図９Ｈ】
2012533799.tif 000030
2012533799.tif 000031
【図９Ｉ】
2012533799.tif 000032
2012533799.tif 000033
【図９Ｊ】
2012533799.tif 000034
2012533799.tif 000035
【図９Ｋ】
2012533799.tif 000036
2012533799.tif 000037
【図９Ｌ】
2012533799.tif 000038
【図９Ｍ】
2012533799.tif 000039
【図９Ｎ】
2012533799.tif 000040
【図９Ｏ】
2012533799.tif 000041
【図９Ｐ】
2012533799.tif 000042
【図９Ｑ】
2012533799.tif 000043
2012533799.tif 000044
【図９Ｒ】
2012533799.tif 000045
【図９Ｓ】
2012533799.tif 000046
【図９Ｔ】
2012533799.tif 000047
【図９Ｕ】
2012533799.tif 000048
【図９Ｖ】
2012533799.tif 000049
【図９Ｗ】
2012533799.tif 000050
2012533799.tif 000051
【図９Ｘ】
2012533799.tif 000052
【図９Ｙ】
2012533799.tif 000053
2012533799.tif 000054
【図９Ｚ】
2012533799.tif 000055
【図９ＡＡ】
2012533799.tif 000056
【図９ＢＢ】
2012533799.tif 000057
2012533799.tif 000058
【図９ＣＣ】
2012533799.tif 000059
【図９ＤＤ】
2012533799.tif 000060
【図９ＥＥ】
2012533799.tif 000061
2012533799.tif 000062
【国際調査報告】
2012533799.tif 000063
2012533799.tif 000064